(57)【要約】【課題】  フィルタ収納容器を浸透筒内に確実に密着嵌合させ、フィルタ収納容器の引き出しも容易であると共にフィルタの型崩れ，片寄りが少なく、フィルタの収納，取り出しが極めて容易であり、構成が簡略されメンテナンスの面でも有利な雨水浸透桝用フィルタ構造を提供する。【解決手段】  雨水桝２の底板７開口部に立設した浸透筒４の上端に配置されるフィルタにおいて、縦断面略コ字状で周辺が傾斜した上部枠体１１と下部枠体１２の二分割体の各開口部を対向させて、両枠体内にフィルタ２０を収納するフィルタ収納容器１０が構成され、各枠体の開口部に放射方向に突出するフランジ１３が形成されると共に各枠体の中心部にボルト孔を有する支柱１７が形成され、上端に引掛け金具２２を係止したボルト２３が両ボルト孔に挿通され、支柱の一端に引掛け金具を当接させ且つ支柱の他端でボルトの先端をナット２５締めした雨水浸透桝用フィルタ構造。【選択図】図１
2010255219.tif 000002
【特許請求の範囲】
【請求項１】
雨水桝の底板開口部に立設した浸透筒の上端に配置されるフィルタにおいて、縦断面略コ字状で周辺が傾斜した上部枠体と下部枠体の二分割体の各開口部を対向させて、両枠体内にフィルタを収納するフィルタ収納容器を構成し、各枠体の前記開口部に放射方向に突出するフランジを形成すると共に各枠体の中心部にボルト孔を有する支柱を形成し、上端に引掛け金具を係止したボルトを前記両ボルト孔に挿通し、前記支柱の一端に前記引掛け金具を当接させ且つ支柱の他端で前記ボルトの先端をナット締めしたことを特徴とする雨水浸透桝用フィルタ構造。
【請求項２】
前記フィルタ収納容器より上方で、ゴミ等の分離用笠を引掛け金具に固着したことを特徴とする請求項１に記載の雨水浸透桝用フィルタ構造。
【発明の詳細な説明】
【技術分野】
【０００１】
本発明は、雨水桝の底板開口部に立設した浸透筒の上端に配置されるフィルタに関するものである。
【背景技術】
【０００２】
従来，雨水桝の底板開口部に立設した浸透筒の上端に配置されるフィルタであって、縦断面逆凸状の枠体容器内にフィルタが収納されているものがある（例えば特許文献１の図１，図３参照。）。
また、雨水浸透桝の側壁上部に雨水の導入管を設け、該導入管の下部近傍で雨水浸透桝内にフィルタを配置し、該配置されたフィルタを吊り上げるようにしたものがある（例えば特許文献２。）。
【先行技術文献】
【特許文献】
【０００３】
【特許文献１】特許第４０３２３９６号公報
【特許文献２】実開平５−５４６８９号公報
【発明の概要】
【発明が解決しようとする課題】
【０００４】
ところで、前記先行技術の前者の雨水浸透桝用フィルタ構造では、枠体容器が一体物であることからフィルタの収納，取り出しが容易でないと共にフィルタ収納容器の雨水桝からの引き出しも容易でないという問題がある。
また、前記先行技術の後者の雨水浸透桝用フィルタ構造では、フィルタをホルダとフィルタ支持梁で配置していることからフィルタの設置構成が複雑であると共にフィルタがむきだしの状態であることからフィルタの型崩れ，片寄りが起こりやすく、更にフィルタの交換の為の吊り上げ吊り下げでフィルタを損傷させる虞があるという問題もある。
【０００５】
本発明は、従来の技術の有するこのような問題点に鑑みてなされたものであり、その目的とするところは、フィルタ収納容器を浸透筒内に確実に密着嵌合させ、フィルタ収納容器の引き出しも容易であると共にフィルタの型崩れ，片寄りが少なく、フィルタの収納，取り出しが極めて容易であり、構成が簡略されメンテナンスの面でも有利な雨水浸透桝用フィルタ構造を提供しようとするものである。
【課題を解決するための手段】
【０００６】
上記目的を達成するために、本発明における雨水浸透桝用フィルタ構造は、雨水桝の底板開口部に立設した浸透筒の上端に配置されるフィルタにおいて、縦断面略コ字状で周辺が傾斜した上部枠体と下部枠体の二分割体の各開口部を対向させて、両枠体内にフィルタを収納するフィルタ収納容器を構成し、各枠体の前記開口部に放射方向に突出するフランジを形成すると共に各枠体の中心部にボルト孔を有する支柱を形成し、上端に引掛け金具を係止したボルトを前記両ボルト孔に挿通し、前記支柱の一端に前記引掛け金具を当接させ且つ支柱の他端で前記ボルトの先端をナット締めしたものである。
【０００７】
また、前記フィルタ収納容器より上方で、ゴミ等の分離用笠を引掛け金具に固着したものである。
【発明の効果】
【０００８】
本発明の雨水浸透桝用フィルタ構造は、下部枠体の周辺の傾斜が浸透筒内に確実に密着嵌合され、フィルタ収納容器の引き出しも容易である。
また、二分割体の上下枠体内で支柱の周りにフィルタを収納したので、フィルタの型崩れ，片寄りが少なく、フィルタの収納，取り出しが極めて容易である。
さらに、引掛け金具を係止したボルトによって、フィルタ収納容器の組み付けと該収納容器の取り出し及び再配を兼用させるので、構成が簡略されメンテナンスの面でも有利な雨水浸透桝用フィルタ構造となる。
【０００９】
また、笠の設置により、ゴミ等を含む雨水の大半が直接フィルタに向かうことを防止し、フィルタの使用寿命を長くさせることができる雨水浸透桝用フィルタ構造となる。
【図面の簡単な説明】
【００１０】
【図１】本発明に係る雨水浸透桝用フィルタ構造の正面断面概略図である。
【図２】下部枠体の平面図である。
【図３】図２のＡ−Ａ断面図である。
【図４】フィルタ収納容器の組立説明図である。
【図５】本発明の他の実施例に係る雨水浸透桝用フィルタ構造の要部拡大断面概略図である。
【発明を実施するための形態】
【００１１】
雨水桝の底板開口部に立設した浸透筒の上端に配置されるフィルタにおいて、縦断面略コ字状で周辺が傾斜した上部枠体と下部枠体の二分割体の各開口部を対向させて、両枠体内にフィルタを収納するフィルタ収納容器を構成し、各枠体の前記開口部に放射方向に突出するフランジを形成すると共に各枠体の中心部にボルト孔を有する支柱を形成し、上端に引掛け金具を係止したボルトを前記両ボルト孔に挿通し、前記支柱の一端に前記引掛け金具を当接させ且つ支柱の他端で前記ボルトの先端をナット締めした雨水浸透桝用フィルタ構造である。
【実施例１】
【００１２】
図１ないし図４は本発明の実施例に関するものであり、図１は雨水浸透桝用フィルタ構造の正面断面概略図、図２は下部枠体の平面図、図３は図２のＡ−Ａ断面図、図４はフィルタ収納容器の組立説明図である。
【００１３】
図において、１は雨水浸透桝であり、該雨水浸透桝１は、コンクリート製の雨水桝２と下部に多数の砕石３を保有する袋体を設けた浸透筒４とで構成され、前記雨水桝２の上部には多数の雨水通路を形成する孔（図示せず。）を有する雨水桝蓋５が設置され、側壁には雨水を下水道管に排出する排出管６が接続され、底板７の中央部には貫通孔８が形成されている。
そして、前記貫通孔８には、前記浸透筒４が雨水桝２内に突出され、雨水桝２の底板開口部を形成している。
なお、９は前記砕石３の浮上を防止する為に、例えば複数本の棒状体を格子状に配設させた防止部材である。
【００１４】
１０はフィルタ収納容器であり、該フィルタ収納容器１０は、例えば再生合成樹脂製で縦断面略コ字状で周辺１０’が傾斜（例えば２度。）した、上部枠体１１と下部枠体１２の対称二分割体を対向させて構成されている。
【００１５】
前記各枠体１１，１２の対向する開口部には放射方向に突出するフランジ１３が形成され、該フランジ１３の一面には複数の凸部１４，１４と凹部１５，１５が形成されている。
また、前記各枠体１１，１２の中心部にはボルト孔１６を有する支柱１７が形成され、該支柱１７の周辺には傾斜（例えば２度。）を有する格子状のリブ１８，１８，…が設けられ、該格子状のリブ１８，１８，…を設けたことにより多数の雨水流通孔１９，１９，…が形成される。
【００１６】
２０，２０はフィルタであり、該フィルタ２０，２０は合成樹脂繊維製で、各枠体１１，１２の内周に沿う程度の大きさである。そして、該フィルタ２０の軸線方向中心部には前記支柱１７が挿通される孔２１が形成されている。
【００１７】
２２はフィルタ収納容器１０の維持管理用の引掛け金具であり、該引掛け金具２２はボルト２３の上端に係止され、ボルト２３を前記ボルト孔２１に挿通することにより引掛け金具２２は前記支柱１７の一端に当接される。
そして、支柱１７の他端側は、ボルト２３の先端をワッシャー２４を介して例えば蝶ナット２５でナット締めし、上部枠体１１と下部枠体１２を連結してフィルタ収納容器１０を組み立てるようにしている。
【００１８】
以上のような構成からなる雨水浸透桝用フィルタ構造は、フィルタ２０，２０の孔２１を各枠体１１，１２の支柱１７に挿通させて、フィルタ２０，２０は各枠体１１，１２の内周に収納させる。
そして、上部枠体１１の前記フランジ１３の一面に形成した凸部１４，１４と下部枠体１２のフランジ１３の一面に形成した凹部１５，１５及び上部枠体１１のフランジ１３の一面に形成した凹部１５，１５と下部枠体１２のフランジ１３の一面に形成した凸部１４，１４とをそれぞれ係合させて連結し、各枠体１１，１２の中心部に形成された支柱１７のボルト孔１６に引掛け金具２２が係止されたボルト２３を挿通し、該ボルト２３の先端を蝶ナット２５でナット締めすることにより、フィルタ収納容器１０は構成が簡略され、簡単，確実に組立ることができると共にフィルタ収納容器１０内のフィルタ２０，２０は型崩れ，片寄りが少なくなる。
【００１９】
なお、本実施例では、フィルタ２０を収納するために、フィルタ２０の大きさを各枠体１１，１２の大きさの二分割体としたが、該フィルタ２０は両枠体の内周の大きさである一体のフィルタのものを使用することも可能である。
【００２０】
そして、組立られたフィルタ収納容器１０は雨水桝２の底板７の貫通孔８から突出する浸透筒４の上端に、前記下部枠体１２の周辺１０’の傾斜（例えば２度。）が浸透筒４内に確実に密着嵌合されることになり簡単，容易に設置できると共に安定した設置となる。
【００２１】
このように設置されたフィルタ収納容器１０により、雨水桝２に導入された雨水はフィルタ２０，２０を通してゴミ等が除去され、ゴミが除去された雨水は下部に多数の砕石３を保有する袋体を設けた浸透筒４を通して地中２６に浸透される。
【００２２】
また、使用によりフィルタ収納容器１０の位置直し又はフィルタ２０，２０の洗浄又は交換等が必要な場合には、地上から例えば引掛け棒（図示せず。）を使用してフィルタ収納容器１０の上部に設けられた引掛け金具２２に引っ掛けることによりフィルタ収納容器１０の取り出し及び再配も容易となり、フィルタ２０，２０を損傷させることなく、その洗浄又は交換も簡単にでき、フィルタ収納容器１０のメンテナンスの面でも有利なものとなる。
【実施例２】
【００２３】
図５は本発明の他の実施例に係る雨水浸透桝用フィルタ構造の要部拡大断面概略図であり、この実施例では、前記フィルタ収納容器１０より上方で、ゴミ等の分離用笠２７を引掛け金具２２に固着したもので、その余の構成は実施例１と実質的に同一であるので図面には同一部材に同一符号を付してその説明を省略する。
【００２４】
前記ゴミ等の分離用笠２７の中心部にはボルト２８が挿通される孔２９が穿設され、該孔２９に引掛け金具２２が係止されたボルト２８を挿通し、ボルト孔が穿設されたスペーススリーブ３０を引掛け金具２２とフィルタ収納容器１０の間に介在させ、前記実施例１と同様に該ボルト２８の先端を蝶ナット２５でナット締めすることにより、笠２７はフィルタ収納容器１０より上方で、引掛け金具２２の底部に固着される。
【００２５】
なお、ゴミ等の分離用笠の中心部に孔を穿設し、該孔に引掛け金具を挿通し、引掛け金具の中間部位に例えば接着，溶着により笠をフィルタ収納容器１０の上方に固着することも可能である。
【００２６】
この雨水浸透桝用フィルタでは、雨水桝２内に土砂，ゴミ等を含む雨水が流入した場合に、前記フィルタ収納容器１０より上方に笠２７が設置されていることから、雨水の大半は直接フィルタ２０に向かうことなく、流路が変更されて、雨水桝２の底部に土砂，ゴミ等が滞ることになり、土砂，ゴミ等はフィルタ２０を通過することが少ないので、フィルタ２０の使用寿命を長くさせることができる雨水浸透桝用フィルタ構造となる。
【符号の説明】
【００２７】
１                  雨水浸透桝
２                  雨水桝
４                  浸透筒
７                  底板
１０                フィルタ収納容器
１０’              枠体周辺
１１                上部枠体
１２                下部枠体
１３                フランジ
１６                ボルト孔
１７                支柱
２０                フィルタ
２２                引掛け金具
２３                ボルト
２５                ナット
２７                笠
【図１】
2010255219.tif 000003
【図２】
2010255219.tif 000004
【図３】
2010255219.tif 000005
【図４】
2010255219.tif 000006
【図５】
2010255219.tif 000007